(57)【要約】【課題】構造が簡単になり、組付け操作が便利になって、省スペース化が図れるカード用コネクタ組立体を提供する。【解決手段】本発明のカード用コネクタ組立体は、基部と、前記基部の一側に配置するベース体と、を含む絶縁本体と、Ｌ字形状のスペースと矩形形状のスペースとを有するスペースが形成される金属製のハウジングと、前記ベース体に配置されるイジェクト機構とを含む異なる寸法の２種のカードを収容できるカード用コネクタ組立体において、前記ハウジングが前記絶縁本体を覆い、前記絶縁本体の基部が前記Ｌ字形状のスペースに配置され、前記ベース体が前記矩形形状のスペースに配置され、カード挿入方向に直交する方向おいて、前記基部とベース体の総和の幅が前記ハウジングの幅と同じであることを特徴とするカード用コネクタ組立体。【選択図】図２
2008277293.tif 000002
【特許請求の範囲】
【請求項１】
基部と、前記基部の一側に配置されるベース体と、を含む絶縁本体と、
Ｌ字形状のスペースと矩形形状のスペースとを有するスペースが形成される金属製のハウジングと、
前記ベース体に配置されるイジェクト機構と
を含む異なる寸法の２種のカードを収容できるカード用コネクタ組立体において、
前記ハウジングが前記絶縁本体を覆い、前記絶縁本体の基部が前記Ｌ字形状のスペースに配置され、前記ベース体が前記矩形形状のスペースに配置され、
カード挿入方向に直交する方向おいて、前記基部とベース体の総和の幅は前記ハウジングの幅と同じであることを特徴とするカード用コネクタ組立体。
【請求項２】
前記基部とベース体は、一体に成型されることを特徴とする、請求項１に記載のカード用コネクタ組立体。
【請求項３】
前記ベース体には、カード挿入方向に沿って延出し、前記イジェクト機構を実装するためのスライド溝が形成されることを特徴とする、請求項１に記載のカード用コネクタ組立体。
【請求項４】
前記イジェクト機構は、前記スライド溝でスライド可能なスライド部材と、弾性付勢するばね部材と、一端が前記スライドに移動自由なレバー部材と、前記スライド部材から延出するイジェクト部材とを含むことを特徴とする、請求項３に記載のカード用コネクタ組立体。
【請求項５】
前記スライド溝の一側には、スライド通路が並ぶように形成され、前記イジェクト部が前記スライド通路でカード挿入／離脱方向に沿って往復移動できることを特徴とする、請求項１に記載のカード用コネクタ組立体。
【請求項６】
前記ハウジングには、前記矩形形状のスペースに突出し、前記イジェクト機構のレバー部材に対応するように弾性片が形成されることを特徴とする、請求項５に記載のカード用コネクタ組立体。
【請求項７】
互いに伝送速度の異なる２枚のカードと接続するために積み重ねられる第１カード用コネクタ及び第２カード用コネクタを備えたカード用コネクタ組立体において、
第１基部と第１ベース体を含む第１絶縁本体と、前記第１絶縁本体に装着された複数の第１導電端子と、前記第１絶縁本体を覆う金属製の第１ハウジングと、を含み、前記第１絶縁本体と第１ハウジングによりＬ字形状のスペース及び矩形形状のスペースが形成される第１カード用コネクタと、
第２絶縁本体と、第２導電端子と、第２絶縁本体を覆う金属製の第２ハウジングと、を含み、前記第２絶縁本体と第２ハウジングにより第２スペースが形成され、前記第１カード用コネクタの下方に積み重ねられる第２カード用コネクタと、
前記第１絶縁本体の第１ベース体には、互いに独立して並ぶように配置され、前記互いに伝送速度の異なる２枚のカードをそれぞれイジェクトするための第１イジェクト機構及び第２イジェクト機構と
を含むことを特徴とするカード用コネクタ組立体。
【請求項８】
前記第１基部が前記Ｌ字形状のスペースに配置され、第１ベース体が矩形形状のスペースに配置され、カード挿入方向に直交する方向おいて、前記第１基部と第１ベース体の総和の幅は前記ハウジングの幅と同じであることを特徴とする、請求項７に記載のカード用コネクタ組立体。
【請求項９】
前記第１ベース体には、対応する前記第１イジェクト機構及び第２イジェクト機構を実装するために、互いに平行な第１スライド溝及び第２スライド溝が形成されることを特徴とする、請求項７に記載のカード用コネクタ組立体。
【請求項１０】
前記第１イジェクト機構及び第２イジェクト機構は、プッシュ・プッシュ操作によりカードをイジェクトすることを行なうものであることを特徴とする、請求項９に記載のカード用コネクタ組立体。
【請求項１１】
前記第１イジェクト機構は、第１カード用コネクタに挿入したカードをイジェクトするための第１イジェクト部を有し、
前記第２イジェクト機構は、第２カード用コネクタに挿入したカードをイジェクトするための第２イジェクト部を有し、
前記第１イジェクト部が前記第１カード用コネクタのＬ字形状のスペースを突出し、前記第２イジェクト部が前記第２カード用コネクタの第２スペースに突出し、
前記第１イジェクト部と第２イジェクト部の延出する方向が異なることを特徴とする、請求項９に記載のカード用コネクタ組立体。
【発明の詳細な説明】
【技術分野】
【０００１】
本発明は、カード用コネクタ組立体に関し、特に積み重ね可能なカード用コネクタ組立体に関するものである。
【背景技術】
【０００２】
一例として、ＰＣＭＣＩＡの規格によれば、コネクタの種類は、イクスプレスカード用コネクタであり、接続対象物の種類は、矩形形状を呈する３４モジュール（以下、イクスプレスカード／３４という。）とＬ字形状を呈する５４モジュール（以下、イクスプレスカード／５４という。）である。
【０００３】
従来技術のカードコネクタ組立体は、特許文献１に示すように、Ｌ字形状を呈するハウジングと、絶縁本体と、絶縁本体に装着された導電端子とイジェクト機構とを有し、該カード用コネクタ組立体には、イクスプレスカード／３４及びイクスプレスカード／５４が収容でき、イジェクト機構と絶縁本体はハウジングにそれぞれ組付けられている。
【０００４】
従来技術のもう一つのカードコネクタ組立体は特許文献２に示すように、カードを排出するためのイジェクト機構がＬ字形状を呈するハウジングの内部に実装されている。特許文献３に掲示されたカード用コネクタ組立体は積み重ねる形式のカード用コネクタ組立体であり、上下２段のカード用コネクタにイジェクト機構がそれぞれ取付られている。
【特許文献１】台湾特許登録第２３４９０５号明細書
【特許文献２】米国特許第７０９０５３７号明細書
【特許文献３】米国特許第７１０１２２２号明細書
【発明の開示】
【発明が解決しようとする課題】
【０００５】
しかしながら、特許文献１に掲示されたカード用コネクタ組立体は、イジェクト機構と絶縁本体がハウジングにそれぞれ独立に組付けられているので、製造及び組付け操作が複雑になり、コストが高価になるといった問題がある。特許文献２に掲示されたカード用コネクタ組立体は、Ｌ字形状を呈するハウジングの内部にイジェクト機構が実装されるので、イクスプレスカード／５４の寸法に制限されるため、カード用コネクタの厚さを増加しなければならない。特許文献３に掲示された積み重ねる形式のカード用コネクタ組立体は、上下２段のカード用コネクタにイジェクト機構がそれぞれ取付られているので、組付け操作が複雑になり、また、製造コストが高価になるといった問題がある。そこで、上記欠点に鑑みて、新型のカード用コネクタを開発することが必要である。
【０００６】
本発明は、構造が簡単になり、組付け操作が便利になって、省スペース化が図れるカード用コネクタ組立体を提供することを主な目的とする。
【０００７】
本発明は、上下２段のカード用コネクタに挿入されたカードをそれぞれ排出するための少なくとも二つのイジェクト機構が配置されるカード用コネクタ組立体を提供することをもう一つの目的とする。
【課題を解決するための手段】
【０００８】
前記目的を達成するために、本発明は、基部と、前記基部の一側に配置するベース体と、を含む絶縁本体と、Ｌ字形状のスペースと矩形形状のスペースとを有するスペースが形成される金属製のハウジングと、前記ベース体に配置されるイジェクト機構とを含む異なる寸法の２種のカードを収容できるカード用コネクタ組立体において、前記ハウジングが前記絶縁本体を覆い、前記絶縁本体の基部が前記Ｌ字形状のスペースに配置され、前記ベース体が前記矩形形状のスペースに配置され、カード挿入方向に直交する方向おいて、前記基部とベース体の総和の幅が前記ハウジングの幅と同じであることを特徴とするカード用コネクタ組立体。
【０００９】
また、前記目的を達成するために、本発明は、互いに伝送速度の異なる２枚のカードと接続するために積み重ねられる第１カード用コネクタ及び第２カード用コネクタを備えたカード用コネクタ組立体において、第１基部と第１ベース体を含む第１絶縁本体と、前記第１絶縁本体に装着された複数の第１導電端子と、前記第１絶縁本体を覆う金属製の第１ハウジングと、を含み、前記第１絶縁本体と第１ハウジングによりＬ字形状のスペース及び矩形形状のスペースが形成される第１カード用コネクタと、第２絶縁本体と、第２導電端子と、第２絶縁本体を覆う金属製の第２ハウジングと、を含み、前記第２絶縁本体及び第２ハウジングにより第２スペースが形成され、前記第１カード用コネクタの下方に積み重ねられる第２カード用コネクタと、前記第１絶縁本体の第１ベース体には、互いに独立して並べるように配置され、前記互いに伝送速度の異なる２枚のカードをそれぞれイジェクトするための第１イジェクト機構及び第２イジェクト機構とを含むことを特徴とするカード用コネクタ組立体。
【発明の効果】
【００１０】
従来の技術に比べると、本発明は以下の長所がある。第１イジェクト機構及び第２イジェクト機構が第１カード用コネクタの第１ベース体に実装されるので、構造が簡単になり、組付け操作が便利になりまた、金型の数量が減少することで、コストの低下に繋がっている。また、第１カード用コネクタに互いに独立したイジェクト機構が配置されるので、省スペース化に役立っている。
【発明を実施するための最良の形態】
【００１１】
図１〜図６に基づいて、本発明のカード用コネクタ組立体１について説明する。カード用コネクタ組立体１は、回路基板に実装することにより電子設備の間の信号を伝送することが達成できる。カード用コネクタ組立体１が第１カード用コネクタ１０と、第１カード用コネクタ１０に積み重ねる第２カード用コネクタ２０とを有する。第１カード用コネクタ１０は第１カードａを収容するための第１スペース１４を有し、第２カード用コネクタ２０は第２カードｂを収容するための第２スペース２２０を有し、本実施形態において、第１カードａは、イクスプレスカード／３４またはイクスプレスカード／５４であり、第２カードｂはスマートカードであり、第１カードａと第２カードｂの伝送速度が互いに異なり、第１カードａの伝送速度が第２カードｂの伝送速度より速い。第１カード用コネクタ１０は、第２カード用コネクタ２０の頂部に互いに独立に積み重ねるように配置されている。
【００１２】
図１〜図４と図６を参照すると、第１カード用コネクタ１０は、第１絶縁本体３０と、第１絶縁本体３０に装着された複数の第１導電端子４と、第１絶縁本体３０を覆う金属板からなる第１ハウジング１１と、第１カードａ及び第２カードｂをそれぞれ排出するための第１イジェクト機構６及び第２イジェクト機構５と、を含む。ここで、以下の説明において、カードが挿入される挿入口（参照記号なし）が設けられた端部側を前、基板に接続される第１導電端子４が突出した側を後と呼ぶ。
【００１３】
前記第１ハウジング１１は、頂面が矩形形状を呈し、前方から見てＵ字形状を呈し、第１天板１２と、第１天板１２の両側から折曲がって延出するように形成された第１側板１３とを備え、前記第１天板１２と第１側板１３とが第１スペース１４を形成する。図２の点線で示す部分を参照することで、第１スペース１４が第１カードａを収容するためのＬ字形状のスペース１４０及び矩形形状のスペース１４１が区分される。第１ハウジング１１は、挿入口に隣接した箇所にカードの挿入方向と鋭角を呈する方向に沿って延出するように形成された第１弾性片１５と、中部の両側縁に第１スペース１４にそれぞれ突出する第１凸片１７と、一対の第１凸片１７の間に矩形形状のスペース１４１へ向きに折曲がって延出し、カードの挿入方向と平行的で互いに離間した両第２弾性片１６と、を有する。前記第１弾性片１５が第１カードの金属パッドＣに接続することにより接地効果と保持作用を達成できる。第１凸片１７により第１カードａの挿入をガイドできる。
【００１４】
第１絶縁本体３０は、第１基部３１と、第１基部３１と一体に成型されるとともに第１基部３１の一側に位置する第１ベース体３３とを備え、カードの挿入方向に直交する方向において、第１基部３１と第１ベース体３３の総和の幅ｄは、第１ハウジング１１の幅ｅとほぼ同じである。第１基部３１には、主体部（参照記号なし）と、主体部の一側に設置される支持アーム３９と、主体部から前方に向いて延出するように形成された舌片３２と、主体部及び舌片３２を貫通するように形成され、第１導電端子４を装着するための端子溝（参照記号なし）とが設けられる。
【００１５】
カードの挿入方向において、第１ベース体３３は、その長さが第１基部３１より長く、第１スライド溝３３０及び第２スライド溝３３１は、互いに平行に、離間して形成され、第１スライド溝３３０及び第２スライド溝３３１は、一端部に第１凸部３３３、第２凸部３３５がそれぞれ形成され、他端部に第１凹部３３４、第２凹部３３６がそれぞれ形成される。第２スライド溝３３１の底部に、長さが第２スライド溝３３１より短い第１スリット３３７が貫通するように形成される。第１スライド溝３３０と舌片３２の間には、第１スライド溝３３０に連通するように並べられているスライド通路３３２が形成される。本実施形態において、第１絶縁本体３０は、イクスプレスカード／３４の挿入をガイドするために、第１ベース体３３と一体に成型されたガイド部材３４を有する。
【００１６】
各第１導電端子４は、複数の端子溝に対応するように収容され、第１カードａに接続するために舌片３２の外側に突出したコンタクト部４０と、回路基板に接続するように第１絶縁本体３０を突出した半田付け部４３と、コンタクト部４０及び半田付け部４３を連接する連接部４１とを含む。
【００１７】
第１イジェクト機構６は、第１スライド溝３３０内に実装され、いわゆる、プッシュ・プッシュ操作によりカードをイジェクトすることを行なうものであり、第１スライド溝３３０内でスライド可能な第１スライド部材６０と、一端が第１凹部３３４に保持され、他端が第１スライド部材６０のハート型の第１レール６３に移動自由に保持されている第１レバー部材６１と、一端が第１凸部３３３に保持され、他端が第１スライド部材６０に当接し、第１スライド部材６０をカード離脱方向に常時弾性付勢する第１ばね部材６２と、第１スライド部材６０の一側からスライド通路３３２に突出した第１イジェクト部６４と、を含み、前記第１イジェクト部６４がスライド通路でカードの挿入／離脱方向に沿って往復移動できる。
【００１８】
第１カードａが第１カード用コネクタ１０に挿入される際に、第１カードａの先端が第１イジェクト部６４に当接して後側へ向きに移動させることにより第１スライド部材６０を第１スライド溝３３０内にスライドさせるとともに、第１レバー部材６１が前記第１レール６３で嵌合位置まで移動する。この場合、第１カードａは第１カード用コネクタ１０に保持され、第１導電端子４に電気的に接続している。第１カードａをイジェクトする際に、再度に第１カードａを挿入方向へ向けて押し、この時、前記第１レバー部材６１が嵌合位置から離脱し、第１ばね部材６２の弾性付勢により第１スライド部材６０をカード離脱方向へ向きにスライドさせ、第１カードａを第１カード用コネクタ１０からイジェクトさせる。
【００１９】
第２イジェクト機構５は、第２スライド溝３３１内に実装され、第１イジェクト機構６の構造と略同様に、プッシュ・プッシュ操作によりカードをイジェクトすることを行なうものである。第２イジェクト機構５は、第２スライド溝３３１内でスライド可能的な第２スライド部材５０と、一端が第２凹部３３６に保持され、他端が第２スライド部材５０のハート型の第２レール５３に移動自由に保持される第２レバー部材５１と、一端が第２凸部３３５に保持され、他端が第２スライド部材５０に当接し、第２スライド部材５０をカード離脱方向に常時弾性付勢する第２ばね部材５２と、第２スライド部材５０から下向きに延出し、第１スリット３３７を通過して超える第２イジェクト部５４と、を含む。
【００２０】
要するように、第１イジェクト機構６と第２イジェクト５の差異は、第１イジェクト部６４と第２イジェクト５４の延出方向が異なることであり、本実施形態において、第１イジェクト部６４と第２イジェクト５４の延出方向は互いに直交している。
【００２１】
第１ハウジング１１が第１絶縁本体３０を覆い、第１カードａを収容するためのＬ字形状のスペース１４０が第１基部３１を覆い、矩形形状のスペース１４１が第１ベース体３３を覆う。組付けた際に、一対の第２弾性片１６が前記第１レバー部材６１と第２レバー部材５１との上方に位置することによって、第１レバー部材６１と第２レバー部材５１が第１レール６３と第２レール５３から外れることを防止できる。
【００２２】
図２、図３及び図５を参照すると、第２カード用コネクタ２０は第１カード用コネクタ１０の下方に位置し、第２絶縁本体２２と、第２絶縁本体２２に装着された第２導電端子モジュール２３と、第２絶縁本体２２を覆うための第２ハウジング２２と、を有する。第１カード用コネクタ１０が第２カード用コネクタ２０の上方に積み重ねられ、第２ハウジング２２により第１スペース１４と第２スペース２２０を隔てさせる。
【００２３】
第２ハウジング２１は、矩形形状を呈し、第２天板２１０と、第２天板２１０の両側から延出するように形成された第２側板２１１と、第２天板２１０及び第２側板２１１により包囲されて形成された第２スペース２２０と、を含む。第２天板２１０に第２導電端子モジュール２３に対応する開口２１２が形成され、開口２１２の一側には第１スリット３３７に対応する第２スリット２１３が形成され、前記第２イジェクト機構５の第２イジェクト部５４が第１スリット３３７及び第２スロット２１３を通過して第２スペース２２０に突出している。
【００２４】
第２絶縁本体２２は、矩形形状を呈し、前記第２導電端子モジュール２３を収容するための凹所２２１が形成され、第２導電端子モジュール２３の複数の導電端子２４は、第２カードｂに接続するように第２スペース２２０に突出している。
【００２５】
第２カードｂが第２カード用コネクタから離脱する原理は、第１カードａの原理と同様なので、ここでは詳細な説明をしない。
【００２６】
以上本発明についてよい実施の形態を参照して詳細に説明したが、実施形態はあくまでも例示的なものであり、これらに限定されるものではない。例えば、第１イジェクト機構６の第１イジェクト部６４及び第２イジェクト機構５の第２イジェクト部５４が第１、第２スライド部材６０、５０から斜めに延出してもよく、こうして、第１イジェクト部６４及び第２イジェクト部５４との間に異なる角度が形成される。また、他の実施状態においては、前記第１、第２カード用コネクタ１０、２０が積み重ねられず、水平方向で並んで、他の部材の構造が本実施状態のカード用コネクタ組立体１と同様で、異なるのは第１イジェクト機構６の第１イジェクト部６４がスライド通路３３に突出し、第２イジェクト機構５の第２イジェクト部５４の突出方向が第１イジェクト部６４と反し、且つ、水平方向において並んでいる第２カード用コネクタ２０内に延出していることである。
【００２７】
従来技術に較べて、第１イジェクト機構６及び第２イジェクト機構５が第１カード用コネクタ１０の第１ベース体３３に実装されるので、構造が簡単になり、組付け操作が便利になりまた、金型の数量が減少することで、コストの低下に繋がっている。また、第１カード用コネクタ１０に互いに独立したイジェクト機構５、６が配置されるので、省スペース化に役立っている。
【図面の簡単な説明】
【００２８】
【図１】本発明に係るカード用コネクタ組立体がカードに接続された組立斜視図である。
【図２】本発明に係るカード用コネクタ組立体の分解平面図であり、図ａは第２カード用コネクタの平面図であり、図ｂは第１カード用コネクタの絶縁本体と導電端子と第１イジェクト及び第２イジェクトの平面図であり、図ｃは第１カード用コネクタの第１ハウジングの平面図である。
【図３】図２に示すカード用コネクタ組立体の他の角度から見た平面図であり、図ａは第２カード用コネクタの平面図であり、図ｂは第１カード用コネクタの絶縁本体と導電端子と第１イジェクト及び第２イジェクトの平面図であり、図ｃは第１カード用コネクタの第１ハウジングの平面図である。
【図４】図２ｂに示す第１カード用コネクタの絶縁本体と導電端子と第１イジェクト及び第２イジェクトの分解平面図である。
【図５】本発明に係るカード用コネクタ組立体の第２カード用コネクタの分解平面図であり、図ａは第２ハウジングの平面図であり、図ｂは第２導電端子と第２絶縁本体の平面図である。
【図６】本発明に係るカード用コネクタ組立体の第１カード用コネクタの部分の組立斜視図である。
【図７】本発明に係るカード用コネクタ組立体に接続する第１カード及び第２カードの斜視図である。
【符号の説明】
【００２９】
１  カード用コネクタ組立体
１０  第１カード用コネクタ
１１  第１ハウジング
１２  第１天板
１３  第１側板
１４  第１スペース
１５  第１弾性片
１６  第２弾性片
１７  第１凸片
２０  第２カード用コネクタ
２１  第２ハウジング
２２  第２絶縁本体
２３  第２導電端子モジュール
２４  導電端子
２１０  第２天板
２１１  第２側板
２１２  開口
２１３  第２スリット
２２０  第２スペース
２２１  凹所
３０  第１絶縁本体
３１  第１基部
３２  舌片
３３  第１ベース体
３４  ガイド部材
３９  支持アーム
３３０  第１スライド溝
３３１  第２スライド溝
３３２  スライド通路
３３３  第１凸部
３３４  第１凹部
３３５  第２凸部
３３６  第２凹部
３３７  第１スリット
４  第１導電端子
４０  コンタクト部
４１  連接部
４３  半田付け部
５  第２イジェクト機構
５０  第２スライド部材
５１  第２レバー部材
５２  第２ばね部材
５３  第２レール
５４  第２イジェクト部
６  第１イジェクト機構
６０  第１スライド部材
６１  第１レバー部材
６２  第１ばね部材
６３  第１レール
６４  第１イジェクト部
ａ  第１カード
ｂ  第２カード
ｃ  第１カードの金属パッド
ｄ  第１基部と第１ベース体の総和の幅
ｅ  第１ハウジングの幅
【図１】
2008277293.tif 000003
【図２】
2008277293.tif 000004
【図３】
2008277293.tif 000005
【図４】
2008277293.tif 000006
【図５】
2008277293.tif 000007
【図６】
2008277293.tif 000008
【図７】
2008277293.tif 000009